(57)【要約】【課題】引込ケーブルの張り替え、再接続を、回数を気にせずに簡単に行う。ハンドホールのように狭い個所でも分岐口数を多くする。【解決手段】分岐用部材１００Ａは、接続部１１１と、端子部を構成する平板状端子１１２ａ，１１２ｂとを備えている。接続部１１１は、幹線ケーブル２０１に電気的に接続される部分である。平板状端子１１２ａ，１１２ｂは、接続部１１１に電気的に接続され、引込ケーブル２０２を着脱自在に接続可能な部分である。接続部１１１と平板状端子１１２ａ，１１２ｂとの間にはリード線１１３が介在されている。幹線ケーブル２０１の分岐個所の導体２０１ａと分岐用部材１００Ａの接続部１１１とをＣ型スリーブ２０３により一括して圧縮接続し、分岐用部材１００Ａを幹線ケーブル２０１に接続する。分岐用部材１００Ａの平板状端子１１２ａ，１１２ｂに引込ケーブル２０２の端部を接続して、分岐を行う。【選択図】図４
2008187814.tif 000002
【特許請求の範囲】
【請求項１】
幹線ケーブルから引込ケーブルを分岐する際に使用する分岐用部材であって、
上記幹線ケーブルに電気的に接続される接続部と、
上記接続部に電気的に接続され、上記引込ケーブルを着脱自在に接続可能な端子部と
を備えることを特徴とする分岐用部材。
【請求項２】
上記端子部は平板状の端子で構成され、
上記端子部には、上記引込ケーブルの端部に接続された平板状の端子が、ボルトおよびナットを用いて接続される
ことを特徴とする請求項１に記載の分岐用部材。
【請求項３】
上記接続部と上記端子部との間にはリード線が介在され、
上記接続部は上記リード線の被覆が剥がされて形成され、
上記接続部は圧縮スリーブにより上記幹線ケーブルに接続される
ことを特徴とする請求項１に記載の分岐用部材。
【請求項４】
上記端子部は上記接続部と一体的に形成されており、
上記接続部は、Ｃ型スリーブを構成しており、上記幹線ケーブルに圧縮接続される
ことを特徴とする分岐用部材。
【請求項５】
地中低圧幹線ケーブルに接続されている分岐用部材の平板状の第１の端子に引込ケーブルの端部に設けられた平板状の第２の端子を重ねてボルトおよびナットを用いて接続するステップと、
上記第１の端子および上記第２の端子の接続個所に、上記ボルトの頭部および上記ナットに嵌合される嵌合穴を有する端子キャップを取り付けるステップと、
上記端子キャップが取り付けられた上記接続個所に、防水絶縁ジェル付カバーを取り付けるステップと
を備えることを特徴とする分岐ケーブルの接続方法。
【発明の詳細な説明】
【技術分野】
【０００１】
この発明は、例えば地中低圧幹線ケーブルから引込ケーブルを分岐する際に使用して好適な分岐用部材および分岐ケーブルの接続方法に関する。
【背景技術】
【０００２】
近年、都市部においては、美観上の理由等から配電ケーブルの地中化が進んでいる。地中低圧幹線ケーブルから各需要家へ電圧を供給するため、幹線ケーブルから引込ケーブルを分岐することが行われる。幹線ケーブルから引込ケーブルを分岐する方法として、幹線ケーブルから地上に設置された低圧分岐箱を介して引込ケーブルを多条布設する方法がある。しかし、低圧分岐箱の占有スペースが大きく、都市部においては道路幅が狭い場所等、対応が困難な場合がある。そこで、地中に、ケーブルの接続工事および接続部保護を行うためのコンパクトなハンドホール（分岐桝）を設け、幹線ケーブルから各需要家への引き込み分岐を個々に行うシステムが採用されるようになってきている。
【０００３】
図１０は、幹線ケーブルから引込ケーブルを分岐する場合における分岐構造の一例を示している。なお、図１０は、説明を簡単にするため、幹線ケーブルのうち一相の結線のみを示している。例えば、灯動共用負荷に配電するための三相４線式の地中低圧幹線ケーブルは、４相の幹線ケーブルにより構成されている。
【０００４】
幹線ケーブル２０１の分岐個所の被覆が剥ぎ取られて導体２０１ａが露出された状態とされている。また、引込ケーブル２０２の端部の被覆が剥ぎ取られて導体２０２ａが露出された状態とされている。そして、幹線ケーブル２０１の導体２０１ａと引込ケーブル２０２の導体２０２ａとが、Ｃ型スリーブ（Ｃ型コネクタ）２０３により、一括して圧縮接続されている。なお、図示していないが、接続個所（破線位置）には、当該接続個所が湿気、腐食などから保護されるように、例えば、防水絶縁ジェル付きカバーが取り付けられている。
【０００５】
図１０に示すような分岐構造は、例えば、特許文献１に記載されている。
【特許文献１】特開平９−２８４９７２号公報
【発明の開示】
【発明が解決しようとする課題】
【０００６】
図１０に示すような分岐構造によれば、以下のような問題がある。
【０００７】
（ａ）需要家の負荷が増設された場合には、引込ケーブル２０２を流れる電流が多くなることから、当該引込ケーブル２０２を張り替える必要がある。その場合、図１１に示すように、接続個所Ｐａに接続されている古い引込ケーブル２０２（破線図示）を切断し、別の接続個所Ｐｂの被覆を剥ぎ取り、Ｃ型スリーブを用いて新たな引込ケーブル２０２（実線図示）を圧縮接続するという作業が必要なり、張り替えを簡単に行うことができなく、また、張り替えを行う毎に分岐し得るスペースが減っていく。
【０００８】
なお、図１１には、三相４線式の４本の幹線ケーブル２０１のうち、需要家に単相３線式の１００Ｖ／２００Ｖの電圧を供給するために、３本の幹線ケーブル２０１から引込ケーブル２０２を分岐する例を示している。
【０００９】
（ｂ）家屋解体時には、電源遮断（安全処置）のために、引込ケーブル２０２を切断している。そのため、再度需要家に電圧を供給する場合、上述した引込ケーブル２０２の張り替えの場合と同様に、幹線ケーブル２０１の別の接続個所の被覆を剥ぎ取り、Ｃ型スリーブを用いて引込ケーブル２０２を圧縮接続するという作業が必要となり、引込ケーブル２０２の再接続を簡単に行うことができなく、また、再接続を行う毎に分岐し得るスペースが減っていく。
【００１０】
（ｃ）ひとつの引込ケーブル毎に幹線ケーブルに圧縮接続して分岐しているため、ハンドホールのように狭い個所では、図１２に示すように、引込ケーブル２０２の分岐口数は少数（２口程度）に限られる。なお、図１２には、三相４線式の４本の幹線ケーブル２０１のうち、需要家に単相３線式の１００Ｖ／２００Ｖの電圧を供給するために、３本の幹線ケーブル２０１から引込ケーブル２０２を分岐する例を示しており、Ｐは幹線ケーブル２０１と引込ケーブル２０２との接続個所を示している。
【００１１】
この発明の目的は、引込ケーブルの張り替え、再接続を、回数を気にせずに簡単に行い得ると共に、分岐口数を多くできる分岐用部材を提供することにある。この発明の他の目的は、地中低圧幹線ケーブルに接続されている分岐用部材の平板状端子に引込ケーブルの端部に設けられた平板状端子を重ねてボルトおよびナットを用いて接続するものにあって、ボルトおよびナットの緩みによる接触不良を防止すると共に、ジェルの水密性を向上させるようにした分岐ケーブルの接続方法を提供することにある。
【課題を解決するための手段】
【００１２】
この発明の概念は、
幹線ケーブルから引込ケーブルを分岐する際に使用する分岐用部材であって、
上記幹線ケーブルに電気的に接続される接続部と、
上記接続部に電気的に接続され、上記引込ケーブルを着脱自在に接続可能な端子部と
を備えることを特徴とする分岐用部材にある。
【００１３】
また、この発明の概念は、
地中低圧幹線ケーブルに接続されている分岐用部材の平板状の第１の端子に引込ケーブルの端部に設けられた平板状の第２の端子を重ねてボルトおよびナットを用いて接続するステップと、
上記第１の端子および上記第２の端子の接続個所に、上記ボルトの頭部および上記ナットに嵌合される嵌合穴を有する端子キャップを取り付けるステップと、
上記端子キャップが取り付けられた上記接続個所に、防水絶縁ジェル付カバーを取り付けるステップと
を備えることを特徴とする分岐ケーブルの接続方法にある。
【００１４】
この発明において、分岐用部材には、幹線ケーブルに電気的に接続される接続部の他に、引込ケーブルに着脱自在に接続可能な端子部が備えられる。この分岐用部材は、使用時には、その接続部が幹線ケーブルに接続された状態とされる。
【００１５】
例えば、接続部と端子部との間にはリード線が介在され、接続部はリード線の被覆が剥がされて形成され、接続部は圧縮スリーブにより幹線ケーブルに接続される。この場合、分岐用部材の接続部を幹線ケーブルに接続する際に圧縮スリーブが必要となるが、分岐用部材自体はリード線などの既存の部材を用いて生成できる。
【００１６】
また、例えば、端子部は接続部と一体的に形成されており、接続部は、Ｃ型スリーブを構成しており、幹線ケーブルに圧縮接続される。この場合、分岐用部材の接続部を幹線ケーブルに接続する際に圧縮スリーブ等の他の部材を必要としない。
【００１７】
この発明においては、引込ケーブルの張り替え、再接続は端子部を用いて行われるため、幹線ケーブルの別の接続個所の被覆剥ぎ取り、Ｃ型スリーブによる引込ケーブルの圧縮接続という作業が不要となると共に、また、張り替え、再接続を行う毎に分岐し得るスペースが減っていくということもなく、引込ケーブルの張り替え、再接続を、回数を気にせずに、簡単に行い得る。
【００１８】
また、この発明においては、引込ケーブルの端部が分岐用部材の端子部に接続されることで、当該引込ケーブルが幹線ケーブルに接続される。ひとつの引込ケーブル毎に幹線ケーブルに圧縮接続して分岐するというものではなく、ひとつの端子部に複数の引込ケーブルを接続することができ、ハンドホールのように狭い個所でも、分岐口数を多くできる。例えば、端子部は平板状の端子で構成され、この端子部には、引込ケーブルの端部に接続された平板状の端子が、ボルトおよびナットを用いて接続される。この場合、端子部に複数の引込ケーブルを接続することが容易となる。
【００１９】
また、分岐用部材の平板状端子に引込ケーブルの端部に設けられた平板状端子を重ねてボルトを用いて接続するものにあっては、ボルトおよびナットの突出部に嵌合される嵌合穴を有する端子キャップが接続個所に取り付けられた後に、防水絶縁ジェル付きカバーが取り付けられる。この場合、端子キャップの取り付けによってボルト、ナットの緩みが抑制されるので、接触不良を防止できる。また、端子キャップの取り付けによって、ボルト、ナットによる凹凸が解消されるので、ジェルの水密性を向上させることができる。
【発明の効果】
【００２０】
この発明よる分岐用部材によれば、引込ケーブルの張り替え、再接続を、回数を気にせずに簡単に行うことができ、また、ハンドホールのように狭い個所でも分岐口数を多くできる。また、この発明による分岐ケーブルの接続方法によれば、ボルトの緩みによる接触不良を防止できると共に、ジェルの水密性を向上させることができる。
【発明を実施するための最良の形態】
【００２１】
第１の実施の形態について説明する。図１は、第１の実施の形態としての、分岐用部材１００Ａの構成を示している。この分岐用部材１００Ａは、地中低圧幹線ケーブルから引込ケーブルを分岐する際に使用されるものである。この分岐用部材１００Ａは、接続部１１１と、端子部を構成する平板状端子１１２ａ，１１２ｂとを備えている。接続部１１１は、幹線ケーブルに電気的に接続される部分である。平板状端子１１２ａ，１１２ｂは、接続部１１１に電気的に接続され、引込ケーブルを着脱自在に接続可能な部分である。この平板状端子１１２ａ，１１２ｂには、ボルトのねじ部を通すための貫通穴１１４が穿設されている。
【００２２】
接続部１１１と平板状端子１１２ａ，１１２ｂとの間にはリード線１１３が介在されている。接続部１１１は、リード１１３の被覆が剥がされて形成されている。この実施の形態では、平板状端子１１２ａ，１１２ｂとして、いわゆる、はご板端子が使用されており、当該平板状端子１１２ａ，１１２ｂはリード線１１３の端部に圧縮接続されている。
【００２３】
図１に示す分岐用部材１００Ａは、上述したように、リード線およびはご板端子等の既存の部材を用いて生成できる。この分岐用部材１００Ａを用いて幹線ケーブルから分岐ケーブルを分岐する際、まず、当該分岐用部材１００Ａが幹線ケーブル２０１に接続される。
【００２４】
図２は、分岐用部材１００Ａを幹線ケーブル２０１に接続した状態を示している。幹線ケーブル２０１の分岐個所の被覆が剥ぎ取られて導体２０１ａが露出された状態とされる。そして、幹線ケーブル２０１の導体２０１ａと分岐用部材１００Ａの接続部１１１とが、Ｃ型スリーブ（Ｃ型コネクタ）２０３により、一括して圧縮接続される。
【００２５】
このように分岐用部材１００Ａが幹線ケーブル２０１に接続された状態で、引込ケーブルの端部が分岐用部材１００Ａの平板状端子１１２ａ，１１２ｂに接続されることで、幹線ケーブル２０１から引込ケーブルの分岐が行われる。図３を用いて、分岐用部材１００Ａの平板状端子１１２（１１２ａ，１１２ｂ）に対する引込ケーブルの接続例について説明する。
【００２６】
図３（Ａ）は、この接続例における各部材を並べて示している。この接続例では、ひとつの平板状端子１１２に、ふたつの引込ケーブル２０２Ａ，２０２Ｂの端部が接続される。引込ケーブル２０２Ａ，２０２Ｂの端部には平板状端子２１２Ａ，２１２Ｂが接続されている。この平板状端子２１２Ａ，２１２Ｂは、いわゆる、はご板端子で構成されており、引込ケーブル２０２Ａ，２０２Ｂの端部に圧縮接続されている。この平板状端子２１２Ａ，２１２Ｂには、ボルトのねじ部を通すための貫通穴２１４が穿設されている。
【００２７】
この接続例では、２個のボルト１１５、２個のナット１１６が使用される他、さらに、２個の端子キャップ１１７も使用される。端子キャップ１１７は、難燃性材料が用いられ、全体としてかまぼこ状に形成されている。この端子キャップ１１７の平面側には、ボルト１１５またはナット１１６に嵌合される嵌合穴１１７ａが形成されている。この嵌合穴１１７ａの径は、ボルト１１５やナット１１６の径より若干小さく形成されている。
【００２８】
分岐用部材１００Ａの平板状端子１１２に、引込ケーブル２０２Ａ，２０２Ｂの平板状端子２１２Ａ，２１２Ｂを接続する際、まず、図３（Ｂ）に示すように、平板状端子２１２Ａ，１１２，２１２Ｂをこの順に重ね、貫通穴１１４，２１４にボルト１１５のねじ部を一端側から通し、他端側に突出したねじ部にナット１１６を螺合する。
【００２９】
次に、図３（Ｃ）に示すように、端子の接続個所に端子キャップ１１７を取り付ける。この場合、一方の端子キャップ１１７は、平面側が平板状端子２１２Ｂに当接するように取り付けられる。この場合、嵌合穴１１７ａにボルト１１５の頭部が嵌合されるが、上述したように嵌合穴１１７ａの径はボルト１１５の径より若干小さく形成されているので、ボルト１１５の頭部が嵌合穴１１７ａに圧入された状態となり、端子キャップ１１７は平板状端子２１２Ｂに当接した状態が安定して保持される。
【００３０】
また、他方の端子キャップ１１７は、平面側が平板状端子２１２Ａに当接するように取り付けられる。この場合、嵌合穴１１７ａに、ナット１１６が嵌合されるが、上述したように嵌合穴１１７ａの径はナット１１６の径より若干小さく形成されているので、ナット１１６が嵌合穴１１７ａに圧入された状態となり、端子キャップ１１７は平板状端子２１２Ａに当接した状態が安定して保持される。
【００３１】
このように端子の接続個所に端子キャップ１１７を取り付けた状態では、端子の接続個所におけるボルト１１５およびナット１１６の突出部が端子キャップ１１７により覆われた状態となるので、端子の接続個所の表面の凹凸が解消される。
【００３２】
次に、図示していないが、上述したように端子キャップ１１７が取り付けられた端子の接続個所に、当該接続個所が湿気、腐食などから保護されるように、防水絶縁ジェル付きカバーが取り付けられる。
【００３３】
上述したように端子の接続個所に端子キャップ１１７を取り付けることで、以下のような効果を得ることができる。つまり、道路下に設置され、車の往来による振動にさらされる環境にあっても、ボルト１１５、ナット１１６の緩みを抑制でき、分岐用部材１００Ａの平板状端子１１２と引込ケーブル２０２Ａ，２０２Ｂの平板状端子２１２Ａ，２１２Ｂとの電気的接続状態を良好な状態に保つことができ、接触不良を防止できる。また、端子キャップ１１７の取り付けによって、上述したように端子の接続個所の表面の凹凸が解消されるため、防水絶縁ジェル付きカバーの取り付けにおいて、ジェルの水密性を向上させることができる。
【００３４】
図４は、図１に示す分岐用部材１００Ａを用いて、幹線ケーブル２０１から引込ケーブル２０２を分岐する、分岐構造を示している。なお、図４は、説明を簡単にするため、幹線ケーブルのうち一相の結線のみを示している。例えば、灯動共用負荷に配電するための三相４線式の地中低圧幹線ケーブルは、４相の幹線ケーブルにより構成されている。
【００３５】
幹線ケーブル２０１の分岐個所の被覆が剥ぎ取られて導体２０１ａが露出された状態とされている。幹線ケーブル２０１の導体２０１ａと分岐用部材１００Ａの接続部１１１とがＣ型スリーブ（Ｃ型コネクタ）２０３により一括して圧縮接続されて、分岐用部材１００Ａが幹線ケーブル２０１に接続されている。そして、分岐用部材１００Ａの平板状端子１１２ａ，１１２ｂに、引込ケーブル２０２の端部が接続されている。
【００３６】
なお、幹線ケーブル２０１の導線２０１ａと分岐用部材１００Ａの接続部１１１との接続個所（破線位置）、分岐用部材１００Ａの平板状端子１１２ａ，１１２ｂと引込ケーブル２０２の端部との接続個所（破線位置）には、当該接続個所が湿気、腐食などから保護されるように、例えば、防水絶縁ジェル付きカバーが取り付けられている。
【００３７】
図１に示す分岐用部材１００Ａを用いて幹線ケーブル２０１から引込ケーブル２０２を分岐するものにあっては、引込ケーブル２０２の張り替え、再接続は、分岐用部材１００Ａの平板状端子１１２ａ，１１２ｂを用いて行われる。すなわち、図５に示すように、古い引込ケーブル２０２（破線図示）が接続個所Ｐに配された分岐用部材１００Ａの端子１１２から取り外され、新たな引込ケーブル２０２（実線図示）が当該分岐用部材１００Ａの端子１１２に取り付けられる。
【００３８】
従来のように、幹線ケーブルの別の接続個所の被覆剥ぎ取り、Ｃ型スリーブによる引込ケーブルの圧縮接続という作業が不要となると共に、また、張り替え、再接続を行う毎に分岐し得るスペースが減っていくということもなく、引込ケーブル２０２の張り替え、再接続を、回数を気にせずに簡単に行うことができる。
【００３９】
なお、図５には、三相４線式の４本の幹線ケーブル２０１のうち、需要家に単相３線式の１００Ｖ／２００Ｖの電圧を供給するために、３本の幹線ケーブル２０１から引込ケーブル２０２を分岐する例を示している。
【００４０】
また、図１に示す分岐用部材１００Ａを用いて幹線ケーブル２０１から引込ケーブル２０２を分岐するものにあっては、引込ケーブル２０２の端部が分岐用部材１００Ａの端子部（平板状端子１１２ａ，１１２ｂ）に接続されることで、当該引込ケーブル２０２が幹線ケーブル２０１に接続される。
【００４１】
ひとつの引込ケーブル毎に幹線ケーブルに圧縮接続して分岐するというものではなく、端子部にそれぞれ複数の引込ケーブル２０２（図３の例ではふたつの引込ケーブル２０２Ａ，２０２Ｂ）を接続することができ、ハンドホールのように狭い個所でも、分岐口数を多くできる。
【００４２】
図６は、分岐部材１００Ａを用いることで、幹線ケーブル２０１のひとつの接続個所Ｐから、４本の引込ケーブル２０２を分岐した例を示している。なお、図６には、三相４線式の４本の幹線ケーブル２０１のうち、需要家に単相３線式の１００Ｖ／２００Ｖの電圧を供給するために、３本の幹線ケーブル２０１から引込ケーブル２０２を分岐する例を示している。
【００４３】
この場合、図１に示す分岐用部材１００Ａのように、端子部を平板状端子１１２ａ，１１２ｂとし、図３に示すように、引込ケーブル２０２の端部の平板状端子がボルト、ナットを用いて接続されるようにすることで、当該端子部に複数の引込ケーブル２０２を容易に接続できる。
【００４４】
次に、第２の実施の形態について説明する。図７は、第２の実施の形態としての、分岐用部材１００Ｂの構成を示している。この分岐用部材１００Ｂは、地中低圧幹線ケーブルから引込ケーブルを分岐する際に使用されるものである。分岐用部材１００Ｂは、銅、アルミニウム等の導体金属で形成されている。この分岐用部材１００Ｂは、接続部１５１と、端子部１５２ａ，１５２とを備えている。
【００４５】
接続部１５１は、幹線ケーブルに電気的に接続される部分であり、Ｃ型スリーブを構成している。端子部１５２ａ，１５２ｂは、接続部１５１と一体的に形成され、従って当該接続部１５１に電気的に接続されている。端子部１５２ａ，１５２ｂは、接続部１５１から周方向とは直交する方向に突出した平板状部分が９０度ひねられて形成されており、平板状端子となっている。この端子部１５２ａ，１５２ｂは、引込ケーブルを着脱自在に接続可能な部分である。この端子部１５２ａ，１５２ｂには、ボルトのねじ部を通すための貫通穴１５４が穿設されている。
【００４６】
上述したように接続部１５１から突出した平板状部分を９０度ひねって端子部１５２ａ，１５２ｂとすることで、接続部１５１が幹線ケーブルに圧縮接続されるとき、当該端子部１５２ａ，１５２ｂの側面が幹線ケーブルに対向した状態となり、端子部１５２ａ，１５２ｂに対する引込ケーブルの接続作業が容易となる。
【００４７】
図７に示す分岐用部材１００Ｂは、接続部１５１がＣ型スリーブを構成しているので、分岐用部材１００Ｂの接続部１５１を幹線ケーブルに接続する際に、圧縮スリーブ等の他の部材を必要としない。
【００４８】
図８は、分岐用部材１００Ｂを幹線ケーブル２０１に接続した状態を示している。幹線ケーブル２０１の分岐個所の被覆が剥ぎ取られて導体２０１ａが露出された状態とされる。そして、幹線ケーブル２０１の導体２０１ａに、分岐用部材１００Ｂの接続部（Ｃ型スリーブ）１５１が、圧縮接続される。
【００４９】
このように分岐用部材１００Ｂが幹線ケーブル２０１に接続された状態で、引込ケーブルの端部が分岐用部材１００Ｂの端子部１５２ａ，１５２ｂに接続され、幹線ケーブル２０１から引込ケーブルの分岐が行われる。なお、詳細説明は省略するが、端子１５２ａ，１５２ｂに対する引込ケーブルの接続方法は、上述した分岐用部材１００Ａの平板状端子１１２ａ，１１２ｂに対する引込ケーブルの接続方法（図３参照）と同様である。
【００５０】
図９は、図７に示す分岐用部材１００Ｂを用いて、幹線ケーブル２０１から引込ケーブル２０２を分岐する、分岐構造を示している。なお、図９は、説明を簡単にするため、幹線ケーブルのうち一相の結線のみを示している。例えば、灯動共用負荷に配電するための三相４線式の地中低圧幹線ケーブルは、４相の幹線ケーブルにより構成されている。
【００５１】
幹線ケーブル２０１の分岐個所の被覆が剥ぎ取られて導体２０１ａが露出された状態とされている。幹線ケーブル２０１の導体２０１ａに、分岐用部材１００Ｂの接続部（Ｃ型スリーブ）１５１が圧縮接続されて、分岐用部材１００Ｂが幹線ケーブル２０１に接続されている。そして、分岐用部材１００Ｂの端子部１５２ａ，１５２ｂに、引込ケーブル２０２の端部が接続されている。
【００５２】
なお、幹線ケーブル２０１の導線２０１ａと分岐用部材１００Ｂの接続部１５１との接続個所、分岐用部材１００Ｂの端子部１５２ａ，１５２ｂと引込ケーブル２０２の端部との接続個所とを含む位置（破線位置）には、当該接続個所が湿気、腐食などから保護されるように、例えば、防水絶縁ジェル付きカバーが取り付けられている。
【００５３】
図７に示す分岐用部材１００Ｂを用いて幹線ケーブル２０１から引込ケーブル２０２を分岐するものにあっても、上述した図１に示す分岐用部材１００Ａを用いて幹線ケーブル２０１から引込ケーブル２０２を分岐する場合と同様の作用効果を得ることができる。
【００５４】
すなわち、従来のように、幹線ケーブルの別の接続個所の被覆剥ぎ取り、Ｃ型スリーブによる引込ケーブルの圧縮接続という作業が不要となると共に、また、張り替え、再接続を行う毎に分岐し得るスペースが減っていくということもなく、引込ケーブル２０２の張り替え、再接続を、回数を気にせずに簡単に行うことができる（図５参照）。また、ひとつの引込ケーブル毎に幹線ケーブルに圧縮接続して分岐するというものではなく、端子部にそれぞれ複数の引込ケーブル２０２を接続することができ、ハンドホールのように狭い個所でも、分岐口数を多くできる（図６参照）。
【００５５】
なお、上述実施の形態における分岐用部材１００Ａ，１００Ｂは、端子部として平板状端子を持っているが、端子部の形状あるいは構造は平板状端子に限定されない。要は、端子部としては、引込ケーブルを着脱自在に接続可能な形状あるいは構造のものであればよい。
【００５６】
また、上述実施の形態における分岐用部材１００Ａ，１００Ｂは２つの端子部を持っているが、端子部の個数は２個に限定されるものではない。端子部の個数を、１個あるいは３個以上とする構成も考えることができる。
【００５７】
また、上述実施の形態においては、分岐用部材１００Ａ，１００Ｂを地中低圧幹線ケーブルから引込ケーブルを分岐する場合に用いるものとして説明したが、この分岐用部材１００Ａ，１００Ｂは、一般に、幹線ケーブルから引込ケーブルを分岐する際に使用できることは勿論である。
【産業上の利用可能性】
【００５８】
この発明は、引込ケーブルの張り替え、再接続を、回数を気にせずに簡単に行うことができ、また、ハンドホールのように狭い個所でも分岐口数を多くできるものであり、例えば地中低圧幹線ケーブルから引込ケーブルを分岐する際に適用できる。
【図面の簡単な説明】
【００５９】
【図１】第１の実施の形態としての分岐用部材の構成を示す斜視図である。
【図２】分岐用部材を幹線ケーブルに接続した状態を示す斜視図である。
【図３】分岐用部材の平板状端子に対する引込ケーブルの接続例を説明するための図である。
【図４】分岐用部材を用いて幹線ケーブルから引込ケーブルを分岐する分岐構造を示す図である。
【図５】分岐用部材を用いた場合における引込ケーブルの張り替えを説明するための図である。
【図６】分岐用部材を用いた場合における引込ケーブルの分岐口数を説明するための図である。
【図７】第２の実施の形態としての分岐用部材の構成を示す斜視図である。
【図８】分岐用部材を幹線ケーブルに接続した状態を示す斜視図である。
【図９】分岐用部材を用いて幹線ケーブルから引込ケーブルを分岐する分岐構造を示す図である。
【図１０】幹線ケーブルから引込ケーブルを分岐する従来の分岐構造の一例を示す図である。
【図１１】従来の分岐構造を用いた場合における引込ケーブルの張り替えを説明するための図である。
【図１２】従来の分岐構造を用いた場合における引込ケーブルの分岐口数を説明するための図である。
【符号の説明】
【００６０】
１００Ａ，１００Ｂ・・・分岐用部材、１１１，１５１・・・接続部、１１２，１１２ａ，１１２ｂ・・・平板状端子、１１３・・・リード線、１１４，１５４・・・貫通穴、１１５・・・ボルト、１１６・・・ナット、１１７・・・端子キャップ、１１７ａ・・・嵌合穴、１５２ａ，１５２ｂ・・・端子部、２０１・・・幹線ケーブル、２０１ａ・・・導体、２０２，２０２ａ，２０２ｂ・・・引込ケーブル、２０３・・・Ｃ型スリーブ、２１２Ａ，２１２Ｂ・・・平板状端子、２１４・・・貫通穴
【図１】
2008187814.tif 000003
【図２】
2008187814.tif 000004
【図３】
2008187814.tif 000005
【図４】
2008187814.tif 000006
【図５】
2008187814.tif 000007
【図６】
2008187814.tif 000008
【図７】
2008187814.tif 000009
【図８】
2008187814.tif 000010
【図９】
2008187814.tif 000011
【図１０】
2008187814.tif 000012
【図１１】
2008187814.tif 000013
【図１２】
2008187814.tif 000014